(57)【特許請求の範囲】
【請求項１】
圧縮機と、四方弁と、通風方向に直交するように２列に構成された室外熱交換器と、絞り装置と、室内熱交換器とからなり、これらを冷媒配管により順次配管接続して冷媒回路を構成してなる空気調和機において、前記室外熱交換器のいずれか一方の列の凝縮時に流出側となる中央水平部分を切欠し、他方の列のみ残した１列部分とその上下に各々２列部分を設けてなるとともに、前記２列部分は各々別の冷媒経路であることを特徴とする空気調和機。
【請求項２】
前記１列部分が２パスとなるように冷媒管を配設してなることを特徴とする請求項１記載の空気調和機。
【請求項３】
前記１列部分の中央に、前記絞り装置と配管接続される配管接続部を設けてなることを特徴とする請求項２記載の空気調和機。
【請求項４】
前記２列部分の切欠された各一端に、各々の冷媒管を前記四方弁と配管接続される配管接続部を設けるとともに、
前記２列部分の他端に前記２列部分の通風方向に対して隣り合う熱交換器を連結する連結部を設けてなることを特徴とする請求項３記載の空気調和機。
【請求項５】
前記１列部分の両端に、各々２列部分の各冷媒管の一端と連通する連結部を設けるとともに、前記２列部分の他端に、前記２列部分の通風方向に対して隣り合う熱交換器の冷媒管を互いに連通し前記四方弁と配管接続される配管接続部を設けてなることを特徴とする請求項３記載の空気調和機。
【請求項６】
前記２列部分に、通風方向に対して隣り合う熱交換器の冷媒管を入れ換える交叉部を設けてなることを特徴とする請求項４または５に記載の空気調和機。
【発明の詳細な説明】
【０００１】
【発明の属する技術分野】
本発明は、空気調和機に係わり、室外熱交換器の構成に関する。
【０００２】
【従来の技術】
図４（ａ）は、従来の一例を示す空気調和機の室外熱交換器の説明図、（ｂ）は、要部断面図である。
図５は、従来の一例を示す空気調和機の冷媒回路図である。
従来の空気調和機の冷媒回路は、図に示すように、室外機１に収納された圧縮機２と、四方弁３と、室外熱交換器５と、絞り装置６と、室内機１０に収納された室内熱交換器１１とからなり、順次配管接続されて冷媒回路が構成されている。
【０００３】
以上の構成において、冷房運転時には、冷媒流路は破線の矢印のとおり、室外機１の冷媒は、圧縮機２、四方弁３を経て２パスの室外熱交換器５に向かう。
該冷媒は室外熱交換器５から、絞り装置６を経て前記室内機１０の室内熱交換器１１に流入する。
そして、該冷媒は、前記室外機１の四方弁３を経て圧縮機２に戻る。
また、暖房運転時には、冷媒流路は実線の矢印のとおり、冷房時と逆の経路を絞り装置６を経て圧縮機２に戻る。
【０００４】
ところで、前記室外熱交換器５は、通風方向と直角に２列５ｘ、５ｙより構成されており、この室外熱交換器３が凝縮器となるときに、サブク−ル（過冷却）を取るようにした場合、冷媒量の追加、絞り量の増加、風量の増加を伴う。
そして、前記冷媒量の追加の場合、冷房時と暖房時の最適冷媒量にずれが多くなりレシ−バなどの設置を必要とするため、コストが上昇するおそれがある問題点があった。
また、前記絞り量の増加の場合、冷媒循環量が減少し能力不足となるおそれがある問題点があった。
あるいは、前記風量の増加の場合、ファンモ−タの回転数が高くなるに従い消費電力が増大するおそれがある問題点があった。
【０００５】
【発明が解決しようとする課題】
本発明においては、前記問題点に鑑み、サブク−ルを確保し低コスト、高性能、省エネを達成する室外機の空気調和機を提供することを目的としている。
【０００６】
【課題を解決するための手段】
本発明は上記の課題を解決するためになされたもので、圧縮機と、四方弁と、通風方向に直交するように２列に構成された室外熱交換器と、絞り装置と、室内熱交換器とからなり、これらを冷媒配管により順次配管接続して冷媒回路を構成してなる空気調和機において、前記室外熱交換器のいずれか一方の列の凝縮時に流出側となる中央水平部分を切欠し、他方の列のみ残した１列部分とその上下に各々２列部分を設けてなるとともに、前記２列部分は各々別の冷媒経路であるようにする。
【０００７】
そして、前記１列部分が２パスとなるようにする。
また、前記１列部分の中央に、前記絞り装置と配管接続される配管接続部を設けてなるようにする。
【０００８】
そして，前記２列部分の切欠された各一端に、各々の冷媒管を前記四方弁と配管接続される配管接続部を設けるとともに、前記２列部分の他端に前記２列部分の通風方向に対して隣り合う熱交換器を連結する連結部を設けてなるようにする。
【０００９】
あるいは、前記１列部分の両端に、各々２列部分の各冷媒管の一端と連通する連結部を設けるとともに、前記２列部分の他端に、各々冷媒管を互いに連通し前記四方弁と配管接続される配管接続部を設けてなるようにする。そして、前記２列部分に、通風方向に対して隣り合う熱交換器の冷媒管を入れ換える交叉部を設けてなるようにする。
【００１０】
【発明の実施の形態】
以下、発明の実施の形態を実施例に基づき添付図面を参照して詳細に説明する。
図１（ａ）は、本発明の一実施例を示す空気調和機の室外熱交換器の説明図、（ｂ）は要部断面図、図５は、本発明の一実施例を示す空気調和機の冷媒回路図である。
本発明の一実施例を示す空気調和機の冷媒回路図である。
なお、構成品の番号は同じものについては同一の番号を使用する。
図において、１は室外機、２は圧縮機、３は四方弁、５は室外熱交換器、６は絞り装置、１０は室内機、１１は室内熱交換器である。
この実施例では、２パスを有する２列配列された室外熱交換器５と、前記絞り装置６には、膨張弁を用いている。
【００１１】
室外機１に収納された圧縮機２と、四方弁３と、通風方向に直交するように２列配列された２パスを有する室外熱交換器５と、絞り装置６と、室内熱交換器１１を有する室内器１０とからなり、これらを冷媒配管により順次配管接続して冷媒回路を構成する。
【００１２】
ここで、前記室外熱交換器５のいずれか一方の列の凝縮時に流出側となる中央水平部分を切欠し、他方の列のみ残した１列部分５ａとその上下に各々２列部分５ｂを設けている。
そして、前記１列部分５ａが２パスとなるようにする。
【００１３】
また、前記１列部分５ａの中央に、前記絞り装置６と配管接続される配管接続部５ａ１を設けている。
そして，前記２列部分５ｂの切欠された各一端に、各々の冷媒管を前記四方弁３と配管接続される配管接続部５ｂ１を設ける。
それとともに、前記２列部分５ｂの他端に各々冷媒管を互いに連通する連結部５ｃを設けている。
【００１４】
以上の構成において、次に本発明の作用を説明する。
前記１列部分５ａを、１パスとなるように前記室外熱交換器５の前記絞り装置６側に設けてあるので、前記室外熱交換器５を通過する空気が、抵抗の少ない部分である前記１列部分５ａを通過し易くすることになる。
このため、サブクール（過冷却）量を風速分布を利用して確保することができる。
【００１５】
図２（ａ）は、本発明の他の実施例を示す空気調和機の室外熱交換器の説明図、（ｂ）は要部断面図である。
この実施例の場合、前記１列部分５ａの両端に、各々２列部分５ｂの各冷媒管の一端と連通する連結部５ｄを設けるとともに、前記２列部分５ｂの他端に、各々冷媒管を互いに連通し前記四方弁３と配管接続される配管接続部５ｂ２を設けている。
【００１６】
この場合の作用は、図１の実施例と同様であり、前記１列部分５ａによりサブクール（過冷却）量を風速分布を利用して確保している。
【００１７】
図３（ａ）は、本発明の他の実施例を示す空気調和機の室外熱交換器の説明図、（ｂ）は要部断面図である。
この実施例は、前記２列部分５ｂの各々中央部に、風上側と風下側の冷媒管を入れ換える交叉部５ｅを設けている。
【００１８】
この場合の作用は、図２の実施例と同様であり、前記１列部分５ａによりサブクール（過冷却）量を風速分布を利用して確保している。
【００１９】
さらに、前記交叉部５ｅにより風上側と風下側の冷媒管を入れ換えているので、前記２列部分５ｂのパスバランスも良くなるため、サブクール（過冷却）量を確保し易くなる。
【００２０】
【発明の効果】
以上のように本発明によれば、圧縮機と、四方弁と、通風方向に直交するように２列に構成された室外熱交換器と、絞り装置と、室内熱交換器とからなり、これらを冷媒配管により順次配管接続して冷媒回路を構成してなる空気調和機において、
前記室外熱交換器のいずれか一方の列の凝縮時に流出側となる中央水平部分を切欠し、他方の列のみ残した１列部分とその上下に各々２列部分を設けてなるようにした。
この結果、サブク−ルを確保し低コスト、高性能、省エネを達成する室外機の空気調和機を提供することができる。
【図面の簡単な説明】
【図１】（ａ）は、本発明の一実施例を示す空気調和機の室外熱交換器の説明図、（ｂ）は、要部断面図である。
【図２】（ａ）は、本発明の他の実施例を示す空気調和機の室外熱交換器の説明図、（ｂ）は、要部断面図である。
【図３】（ａ）は、本発明の他の実施例を示す空気調和機の室外熱交換器の説明図、（ｂ）は、要部断面図である。
【図４】（ａ）は、従来の一例を示す空気調和機の室外熱交換器の説明図、（ｂ）は、要部断面図である。
【図５】本発明および従来の一例を示す空気調和機の冷媒回路図である。
【符号の説明】
１  室外機
２  圧縮機
３  四方弁
５  室外熱交換器
５ａ  １列部分
５ａ１  配管接続部
５ｂ  ２列部分
５ｂ１  配管接続部
５ｂ２  配管接続部
５ｃ  連結部
５ｄ  連結部
５ｅ  交叉部
６  絞り装置
１０  室内機
１１  室内熱交換器
【図１】
0004075190.tif 000002
【図２】
0004075190.tif 000003
【図３】
0004075190.tif 000004
【図４】
0004075190.tif 000005
【図５】
0004075190.tif 000006